(57)【要約】 【課題】建物ユニットを離し置きしたタイプのユニット式建物において、屋根パネルの荷重を安定的に支持するとともに、施工コストの低減を図る。【解決手段】建物ユニット５を離し置きしたユニット式建物１であって、前記建物ユニット５同士を連結梁２０で連結し、この連結梁２０の上にジョイント用小屋床パネル８０を設置し、このジョイント用小屋床パネル８０の上に屋根パネルを支持するための束８３を立設することを特徴とする。【選択図】図１
2010084489.tif 000002
【特許請求の範囲】
【請求項１】
柱および梁を含み形成される略直方体状の骨組みを有する建物ユニットを離し置きしたユニット式建物であって、
前記建物ユニット同士を連結梁で連結し、
この連結梁の上にジョイント用小屋床パネルを設置し、
このジョイント用小屋床パネルの上に屋根パネルを支持するための束を立設する
ことを特徴とするユニット式建物。
【請求項２】
請求項１に記載のユニット式建物において、
前記ジョイント用小屋床パネルにブラケットを連結し、
このブラケットを前記建物ユニットの天井梁の上に載置する
ことを特徴とするユニット式建物。
【請求項３】
請求項２に記載のユニット式建物において、
前記束を前記ジョイント用小屋床パネルと前記ブラケットとの双方に跨るように立設する
ことを特徴とするユニット式建物。
【請求項４】
請求項３に記載のユニット式建物において、
前記ジョイント用小屋床パネルは前記連結梁に直交するジョイント用梁を備え、
前記ブラケットは前記ジョイント用梁に連結されるとともにジョイント用梁とは反対側に開口した断面コ字状に形成され、
前記ジョイント用梁は前記ブラケットとは反対側に開口した断面コ字状に形成され、
前記束に設けられ前記束を支持するベースプレートを前記ジョイント用梁および前記ブラケットの上面に跨るように接合する
ことを特徴とするユニット式建物。
【請求項５】
請求項４に記載のユニット式建物において、
前記ブラケットは、その開口側にリブが結合されている
ことを特徴とするユニット式建物。
【発明の詳細な説明】
【技術分野】
【０００１】
本発明は、ユニット式建物に関する。
【背景技術】
【０００２】
柱および梁を含み形成される略直方体状の骨組みを有する建物ユニットと、これらの建物ユニット上に設けられた屋根とを備えたユニット式建物がある。屋根構造としては、上階の建物ユニットの天井梁の上に束を立設し、この束を介して屋根パネルを支持させるものがあるが、天井梁に対して直接に束を立設すると、天井梁に加わる重量が大きくなり、天井梁が撓んでしまう問題がある。そのため、各上階の建物ユニットの天井梁上に小屋パネルを配置し、この小屋パネルに束を立設し、この束を介して屋根パネルを支持させる構造がある（例えば、特許文献１参照）。
また、ユニット式建物において隣り合う建物ユニットに亘る大空間を形成するために、建物ユニットを離し置きし、隣り合う建物ユニット同士を補強梁や連結プレートで連結補強し、外壁側の隙間や天井部分の隙間をそれぞれ閉塞パネルで閉塞することによって隙間部分を居室部として利用したユニット式建物がある（例えば、特許文献２参照）。
【０００３】
【特許文献１】特開２００３−３０１５２０号公報
【特許文献２】特開２００５−２４０３５８号公報
【発明の開示】
【発明が解決しようとする課題】
【０００４】
建物ユニットを離し置きする特許文献２のユニット式建物において、離し置きする寸法が小さければ、特許文献１と同様に、各上階の建物ユニットの天井梁上に小屋パネルを配置して、この小屋パネルに束を立設し、この束を介して屋根パネルを支持させる構造を採用することができる。
しかし、建物ユニットの離し置きする寸法が大きい場合、屋根パネルの荷重を安定的に支持するためには、離し置きする部分の上方にも屋根パネルを支持するための束が必要となる。
そうすると、各階建物ユニットの天井梁上と離し置きする部分の上方にも小屋パネルを設置することになり、小屋パネルの数が多くなってしまい、建物施工コストが高くなってしまうといった問題があった。
【０００５】
本発明の目的は、建物ユニットを離し置きしたタイプのユニット式建物において、屋根パネルの荷重を安定的に支持するとともに、施工コストの低減を図ることである。
【課題を解決するための手段】
【０００６】
本発明のユニット式建物は、図面を参照して説明すると、柱および梁を含み形成される略直方体状の骨組みを有する建物ユニット５を離し置きしたユニット式建物１であって、前記建物ユニット５同士を連結梁２０で連結し、この連結梁２０の上にジョイント用小屋床パネル８０を設置し、このジョイント用小屋床パネル８０の上に屋根パネルを支持するための束８３を立設することを特徴とする。
この発明によれば、屋根パネルの荷重が、束８３、ジョイント用小屋床パネル８０、そして連結梁２０を通じて互いに隣り合う建物ユニット５の柱に伝達される。そのため、建物ユニット５に小屋パネルを設けなくとも、屋根パネルの荷重を隣り合う建物ユニット５で安定的に支持することができるとともに、施工コストの低減を図ることができる。
【０００７】
本発明では、前記ジョイント用小屋床パネル８０にブラケット８１を連結し、このブラケット８１を前記建物ユニット５の天井梁１１の上に載置することが好ましい。
この発明によれば、屋根パネルの荷重の一方がブラケット８１、天井梁１１を通じて柱１０へと伝達され、他方がジョイント用小屋床パネル８０、連結梁２０を通じて、所定間隔離れて対向配置される上階の建物ユニット５の柱１０へと伝達される。すなわち、屋根パネルの荷重が２系統に分散されるので、大きな荷重を確実に支持することができる。
【０００８】
本発明では、前記束８３を前記ジョイント用小屋床パネル８０と前記ブラケット８１との双方に跨るように立設することが好ましい。
この発明によれば、束８３がジョイント用小屋床パネル８０とブラケット８１との双方の部材の略中心に位置し、屋根パネルの荷重が確実に２系統に分散されるので、大きな荷重を、より確実に支持することができる。
【０００９】
本発明では、前記ジョイント用小屋床パネル８０は前記連結梁２０に直交するジョイント用梁８０１を備え、前記ブラケット８１は前記ジョイント用梁８０１に連結されるとともにジョイント用梁８０１とは反対側に開口した断面コ字状に形成され、前記ジョイント用梁８０１は前記ブラケット８１とは反対側に開口した断面コ字状に形成され、前記束８３に設けられ前記束８３を支持するベースプレート８３Ａを前記ジョイント用梁８０１および前記ブラケット８１との上面に跨るように接合することが好ましい。
この発明によれば、束８３を支持するジョイント用小屋床パネル８０のジョイント用梁８０１とブラケット８１の両部材が断面コ字状に形成されているので、束８３を支持するベースプレート８３Ａが、ジョイント用梁８０１とブラケット８１の上面に安定的に支持され、軽量かつ高い強度で束８３を支持することができる。
【００１０】
本発明では、前記ブラケット８１は、その開口側にリブ８１１Ｄが結合されていることが好ましい。
この発明によれば、断面コ字状に開口したブラケット８１の強度を高くすることができ、束８３を確実に支持することができる。
【発明を実施するための最良の形態】
【００１１】
[第１実施形態]
以下、本発明の一実施形態を図面に基づいて説明する。
図１〜図８には第１実施形態のユニット式建物１が示されている。
図１に示すように、第１実施形態のユニット式建物１は、基礎２の上に設けられた例えば４個の下階建物ユニット３からなる下階部４と、下階部４の下階建物ユニット３の上に載置された４個の上階建物ユニット５からなる上階部６と、この上階部６の上方に設けられる屋根部７とを備えて構成されている。
図２は、ユニット式建物１の屋根部７を取り除いた状態での上階部６の平面図であって、後述のジョイント用小屋床パネル８０を設置する前の状態が示されている。
【００１２】
（建物ユニット）
下階建物ユニット３および上階建物ユニット５は、図８に示すように、箱状に形成されている。すなわち、各建物ユニット３，５は、四隅に立設される４本の柱１０と、これらの柱１０の上端間同士および下端間同士を、仕口１３を介して結合する各４本の天井梁１１、床梁１２とで構成されるフレーム（骨組み）１４を備えている。天井梁１１は、各２本ずつの長辺天井梁１１Ａ、短辺天井梁１１Ｂで形成され、床梁１２は、各２本ずつの長辺床梁１２Ａ、短辺床梁１２Ｂで形成されている。
また、２本の長辺天井梁１１Ａ間には、図２に示すように、天井小梁１５を架け渡しても良いし、２本の長辺床梁１２Ａ間には、根太をそれぞれ架け渡してもよい。
さらに短辺天井梁１１Ｂの両端部それぞれから、この短辺天井梁１１Ｂに対向する天井小梁１５の対角線上の端部に対して、ブレースが架け渡されている。
【００１３】
図１および図２に示すように、下階建物ユニット３及び上階建物ユニット５のうち、それぞれ４個ずつが、各建物ユニット３，５の短辺同士が対向する方向の一方向に隣り合うとともに、この一方向と交差する方向に寸法Ｌの所定間隔で離れて配置されている。すなわち、下階部４および上階部６では、各階の建物ユニット４つが、建物ユニットの２個ずつを短片梁同士を隣り合わせた状態で２組配置され、一方の組の長辺梁と他方の組の長辺梁とが寸法Ｌの所定間隔で離れた状態で対向して配置されている。
そのため、下階部４及び上階部６には、所定間隔で離された建物ユニット３，５とその間の所定間隔の隙間の部分とを合計した広さの大空間居室Ｒが、それぞれ各階に２つずつ形成されるようになっている。
また、所定間隔Ｌの寸法は、製作基準寸法であるモジュールが、例えば、１モジュール９１０ｍｍである場合、本実施形態では、１／２モジュールの４５０ｍｍ程度に設定されている。ただし、この寸法は任意であるが、あまり小さいと間隔をあけた意味がなくなり、あまり大きいと建物の強度上の問題が生じる。
前記所定間隔で離れて配置されている各建物ユニット３，５間の隙間は、図示しない閉塞用パネルである壁パネルで塞がれている。
また、所定間隔で離れて配置されている下階建物ユニット３間の上部の隙間は閉塞用パネルである天井パネルで塞がれている。
【００１４】
（連結梁）
以上のような所定間隔で離れて配置されている下階建物ユニット３及び上階建物ユニット５間には、図１および図２に示すように、当該下階建物ユニット３及び上階建物ユニット５に挟まれて連結梁２０が設けられている。この連結梁２０は、所定間隔で離れて配置されている下階建物ユニット３同士及び上階建物ユニット５同士を連結するために設けられたものであり、各建物ユニット３，５の仕口１３に連結、固定されている。
【００１５】
（ジョイント用小屋床パネル）
図１に示すように、この上階建物ユニット５の間を連結する連結梁２０の上にはジョイント用小屋床パネル８０が設置されている。第１実施形態では、４個の上階建物ユニット５が所定間隔で離されて生じた隙間の部分の上方に、このジョイント用小屋床パネル８０が２つ設置されている。
図３には、ユニット式建物１の屋根部７を取り除いた状態での上階部６の平面図であって、ジョイント用小屋床パネル８０を設置した後の状態が示されている。
ジョイント用小屋床パネル８０は、図１に示すように、２本のジョイント用梁８０１と２本の結合梁８０２とを備え、これらを枠組みし、矩形状に形成されている。
ここで、ジョイント用梁８０１とは、連結梁２０に直交する方向に設けられたジョイント用小屋床パネル８０の梁のことである。そして結合梁８０２とは、連結梁２０に平行方向に設けられるとともに連結梁２０の上に設置され、２本のジョイント用梁８０１を結合するための梁である。
第１実施形態では、ジョイント用小屋床パネル８０の長辺がジョイント用梁８０１に相当し、短辺が結合梁８０２に相当する。
そして、結合梁８０２は、この上階建物ユニット５の短辺天井梁１１Ｂ間を連結する連結梁２０の上に位置する。そして、２つのジョイント用小屋床パネル８０は、その結合梁８０２が隣り合って設置されている。
また、ジョイント用梁８０１間にはジョイント用小梁８０３が架け渡されている。これらのジョイント用小梁８０３に所定の天井材を取付けて天井を形成することができる。
さらに、結合梁８０２の両端部それぞれから、この結合梁８０２に対向するジョイント用小梁８０３の対角線上の端部に対して、ブレースが交差して設けられている。
【００１６】
ジョイント用梁８０１は、長方形状のジョイント用小屋床パネル８０の内側に開口した断面コ字状に形成されている。ここで、ジョイント用梁８０１は上側水平部８０１Ａと、下側水平部８０１Ｂと、これらの端部に連結された鉛直部８０１Ｃとを備えることによって断面コ字状に形成されている（図６参照）。
【００１７】
（ブラケット）
ブラケット８１は、図１、図３に示すように、ジョイント用小屋床パネル８０のジョイント用梁８０１の外側面であって、結合梁８０２およびジョイント用小梁８０３がジョイント用梁８０１に接合されている部位の反対側に配設されている。そして、上階建物ユニット５の長辺天井梁１１Ａおよび仕口１３の上に載置され、さらに、後述する束８３のベースプレート８３Ａを介してジョイント用梁８０１と連結されている。
ここで、図５に示すように、ジョイント用小屋床パネル８０同士が隣り合う部位に設けられるブラケット８１は、両方のジョイント用梁８０１に対して跨って連結されている。さらに、このブラケット８１は、隣り合う上階建物ユニット５の両方の仕口１３の上に跨って載置され、仕口１３と接合されている。
本実施形態では、ジョイント用小屋床パネル８０とブラケット８１を上記所定位置に配設、載置し、ベースプレート８３Ａを介してブラケット８１とジョイント用梁８０１とを連結させる作業を、ユニット式建物１の施工現場にて行う。
また、このブラケット８１はジョイント用梁８０１が開口している方向とは反対側に開口した断面コ字状に形成されている。なお、ブラケット８１は、上側水平部８１１Ａ、下側水平部８１１Ｂとこれらの端部に連結された鉛直部８１１Ｃとを備えることによって断面コ字状に形成されている（図４、図６参照）。さらに、ブラケット８１の開口側には、上側水平部８１１Ａと下側水平部８１１Ｂとを連結するとともに、鉛直部８１１Ｃと接合したリブ８１１Ｄが設けられている（図６参照）。
【００１８】
上述したように、ブラケット８１は上階建物ユニット５の室内側に設けられた長辺天井梁１１Ａおよび仕口１３とも接合されている。接合するには、図６または図７に示すように、ブラケット８１の下側水平部８１１Ｂと上階建物ユニット５の長辺天井梁１１Ａまたは仕口１３とを、例えばボルト８２Ａで締め付けて固定する。
すなわち、ブラケット８１の下側水平部８１１Ｂと、上階建物ユニット５の室内側に設けられた長辺天井梁１１Ａおよび仕口１３の上面とにボルト穴が開けられており、例えばブラケット８１の下側水平部８１１Ｂ側からボルト８２Ａを長辺天井梁１１Ａまたは仕口１３のボルト穴に向けて差し込み、ナット８２Ｂと螺合させて、ブラケット８１と上階建物ユニット５とを接合させることができる。
【００１９】
また、ブラケット８１がジョイント用梁８０１に連結するとともに、上階建物ユニット５の長辺天井梁１１Ａまたは仕口１３に接合すると、前記したジョイント用梁８０１の上側水平部８０１Ａとブラケット８１の上側水平部８１１Ａとが略同一高さに配設されるように調整されている。
【００２０】
（束）
屋根パネルを支持するための束８３は、ジョイント用小屋床パネル８０の上に複数立設されている。束８３はそれぞれベースプレート８３Ａと、これらベースプレート８３Ａ上に設けられる角筒状部材からなる本体部８３Ｂと、本体部８３Ｂの上部に設けられる屋根受け支持部８３Ｃとを備えて形成されている。
束８３は、図４〜図６に示すように、ジョイント用小屋床パネル８０とブラケット８１との双方に跨るように立設されている。すなわち、束８３のベースプレート８３Ａが、前記した略同一高さに配設されたジョイント用梁８０１の上側水平部８０１Ａおよびブラケット８１の上側水平部８１１Ａとの上に載置されている。
ここで、図５に示すように、ジョイント用小屋床パネル８０同士が隣り合う部位に立設される束８３は、前記したように両方のジョイント用梁８０１に対して跨って連結されるブラケット８１の上側水平部８１１Ａと、両方のジョイント用梁８０１の上側水平部８０１Ａとに跨って載置される。
【００２１】
そして、図６に示すように、束８３はジョイント用梁８０１およびブラケット８１に結合されている。結合するには束８３のベースプレート８３Ａと、ジョイント用梁８０１の上側水平部８０１Ａおよびブラケット８１の上側水平部８１１Ａとを、例えばボルト８２Ａで締め付けて固定する。
すなわち、ベースプレート８３Ａと、上側水平部８０１Ａおよび上側水平部８１１Ａの上面とにボルト穴が開けられており、例えばベースプレート８３Ａ側から上側水平部８０１Ａおよび上側水平部８１１Ａのボルト穴に向けて差し込み、ナット８２Ｂと螺合させて、束８３とジョイント用小屋床パネル８０およびブラケット８１とを結合させることができる。
【００２２】
また、束８３の本体部８３Ｂの上端部には、隣接する束８３の本体部８３Ｂの下端部近傍と架け渡して連結するブレース８６が設けられている。したがって、２本の束８３の間にはブレース８６が交差して設けられていることになる。また、所定間隔で離れて配置されている上階建物ユニット５の間の隙間の上方には、この交差して設けられたブレース８６によって形成される面が、当該隙間を挟んで対向している状態となる。
【００２３】
（屋根部）
屋根部７は複数枚の屋根パネル（図略）を組み合わせることにより構成されている。
上階建物ユニット５の室外側の仕口１３の上面には屋根受け部材９が設けられている。
そして屋根部７は、図１の２点鎖線にて示すように、この屋根受け部材９と束８３の屋根受け支持部８３Ｃとで屋根パネルが支持された切妻屋根となっている。
【００２４】
以上のような第１実施形態によれば、次のような効果が得られる。
（１）下階建物ユニット３及び上階建物ユニット５のうち、それぞれ２個ずつが、各建物ユニット３，５の短辺同士が対向する方向の一方向に隣り合うとともに、この一方向と交差する方向に寸法Ｌの所定間隔で離れて配置されているため、下階部４及び上階部６には、所定間隔で離された建物ユニット３，５とその間の所定間隔の隙間の部分とを合計した広さの大空間居室Ｒが、それぞれ各階に２つずつ形成することができる。
【００２５】
（２）ブラケット８１がジョイント用小屋床パネル８０のジョイント用梁８０１に連結されるとともに、上階建物ユニット５の長辺天井梁１１Ａおよび仕口１３の上に載置されているので、屋根パネルの荷重の一方がブラケット８１、長辺天井梁１１Ａおよび仕口１３を通じて上階建物ユニット５の柱１０へと伝達され、他方がジョイント用梁８０１、連結梁２０を通じて、所定間隔離れて対向配置される上階建物ユニット５の柱１０へと伝達される。すなわち、屋根パネルの荷重が２系統に分散されるので、大きな荷重であっても確実に支持することができる。
【００２６】
（３）また、上階建物ユニット５の天井梁１１の上に小屋パネルを設置しなくても、屋根パネルを隣り合う上階建物ユニット５同士で支持することができるため、施工コストが低減する。
【００２７】
（４）束８３をジョイント用小屋床パネル８０とブラケット８１との双方に跨るように立設させるので、束８３がジョイント用小屋床パネル８０とブラケット８１との双方の部材の略中心に位置し、荷重が確実に２系統に分散されるので、屋根パネルの大きな荷重を、より確実に支持することができる。
【００２８】
（５）束８３を支持するジョイント用小屋床パネル８０のジョイント用梁８０１とブラケット８１の両部材が断面コ字状に形成され、ジョイント用梁８０１の上側水平部８０１Ａとブラケット８１の上側水平部８１１Ａとが略同一高さに配置されるので、束８３を支持するベースプレート８３Ａが、ジョイント用梁８０１とブラケット８１の上面に安定的に支持され、軽量かつ高い強度で束８３を支持することができる。
【００２９】
（６）ブラケット８１は、開口側にリブ８１１Ｄが結合されているので、断面コ字状に開口したブラケット８１の強度を高くすることができ、屋根パネルを支持する束８３をより確実に支持することができる。
【００３０】
[第２実施形態]
以下、本発明の第２実施形態を図面に基づいて説明する。
第２実施形態は、ブラケット８１とジョイント用梁８０１とで束８３を支持する第１実施形態と異なり、ブラケット８１を用いずに束８３を支持する構造に係るものであり、他の構成は第１実施形態と同じである。ここで、第２実施形態の説明において第１実施形態と同一の構成要素は同一符号を付して説明を省略する。
図９は第２実施形態の束８３の支持構造の要部を示すものであり、図６に対応する断面図である。
【００３１】
束８３のベースプレート８３Ａは、ジョイント用梁８０１の上側水平部８０１Ａの上部とジョイント用小梁８０３の上部に載置されている。
そして、図９に示すように、束８３はジョイント用梁８０１とジョイント用小梁８０３と結合されている。結合するには束８３のベースプレート８３Ａと、ジョイント用梁８０１の上側水平部８０１Ａおよびジョイント用小梁８０３とを、第１実施形態と同様に、例えばボルト８２Ａで締め付けて固定する。
【００３２】
したがって、第２実施形態では第１実施形態の（１）、（３）と同様の効果を奏することができる他、次の効果を奏することができる。
（７）上階建物ユニット５の連結梁２０の上にジョイント用小屋床パネル８０を設置し、このジョイント用梁８０１と結合梁８０２またはジョイント用小梁８０３の上に屋根パネルを支持するための束８３を立設するので、屋根パネルの荷重の一方がジョイント用梁８０１と連結梁２０とを経て、仕口１３および天井長辺梁１１Ａと通じて上階建物ユニット５の柱１０へと伝達され、他方が結合梁８０２またはジョイント用小梁８０３を通じて互いに隣り合う上階建物ユニット５の柱１０へと伝達される。すなわち、屋根パネルの荷重が２系統に分散されるので、大きな荷重であっても確実に支持することができる。
【００３３】
（８）また、上階建物ユニット５の天井梁１１の上に小屋パネルを設置しなくても、さらに、ブラケット８１をジョイント用小屋床パネル８０に連結しなくても、屋根パネルを隣り合う上階建物ユニット５同士で支持することができるため、施工コストが低減する。
【００３４】
なお、本発明は前記実施形態に限定されるものではなく、本発明の目的を達成できる範囲での変形、改良等は本発明に含まれるものである。
例えば、前記第１実施形態では図５に示すように、ジョイント用小屋床パネル８０同士が隣り合う部位に設けられるブラケット８１は、両方のジョイント用梁８０１に対して跨って連結されていたが、これに限られない。例えば、双方のジョイント用小屋床パネル８０の当該部位にブラケット８１を設け、これらのブラケット８１に対して束８３をそれぞれ立設させても良い。
また、前記第１実施形態では、施工現場にてジョイント用小屋床パネル８０とブラケット８１を上記所定位置に配設、載置し、ベースプレート８３Ａを介してブラケット８１とジョイント用梁８０１とを連結させる作業を行う態様で説明したが、これに限られない。例えば、ブラケット８１を予め工場などでジョイント用梁８０１に連結具にて連結させ、それをユニット式建物１の施工現場へと搬送する態様であっても良い。
また、前記各実施形態では、ユニット式建物１の屋根部７を切妻屋根として説明したが、その他の入母屋等の屋根形状とすることもできる。
また、前記各実施形態では、建物ユニット３，５の短辺梁同士を隣り合わせて、長辺梁を所定間隔離して対向配置させたが、長辺梁同士を隣り合わせて、短辺梁を所定間隔離して対向配置させても良い。
【産業上の利用可能性】
【００３５】
本発明は、建物ユニットを離し置きする工法で施工されるユニット式建物に利用することができる。
【図面の簡単な説明】
【００３６】
【図１】本発明に係るユニット式建物の第１実施形態を示す分解斜視図である。
【図２】前記実施形態のユニット式建物の屋根部およびジョイント用小屋床パネルを取り除いた状態の上階部を示す平面図である。
【図３】前記実施形態のユニット式建物の屋根部を取り除いた状態の上階部を示す平面図である。
【図４】図３におけるＩＶ−ＩＶ線に沿った断面図である。
【図５】図３におけるＶ−Ｖ線に沿った断面図である。
【図６】前記実施形態における要部を示す断面図である。
【図７】前記実施形態における他の要部を示す断面図である。
【図８】前記実施形態における建物ユニットを示す全体斜視図である。
【図９】本発明に係るユニット式建物の第２実施形態における要部を示す断面図である。
【符号の説明】
【００３７】
１     ユニット式建物
３     下階建物ユニット
５     上階建物ユニット
７     屋根部
１０   柱
１１   天井梁
１１Ａ 長辺天井梁
１２   床梁
２０   連結梁
８０   ジョイント用小屋床パネル
８０１ ジョイント用梁
８１   ブラケット
８１１Ｄ  リブ
８３   束
８３Ａ ベースプレート
【図１】
2010084489.tif 000003
【図２】
2010084489.tif 000004
【図３】
2010084489.tif 000005
【図４】
2010084489.tif 000006
【図５】
2010084489.tif 000007
【図６】
2010084489.tif 000008
【図７】
2010084489.tif 000009
【図８】
2010084489.tif 000010
【図９】
2010084489.tif 000011